(57)【特許請求の範囲】
【請求項１】
少なくとも天板及び両側板を有するとともに底面側に開口部を有した外箱と、
少なくとも底板、両側板及び背板を有するとともに底板から下方に突出する取手を有し、前記外箱内に収納された位置と該外箱の開口部から下方に向けて突出した位置との間を昇降自在とされた収納棚とを備えた昇降収納装置であって、
前記収納棚の両側板の外面には、ハウジングの内外を出没自在に構成されたストッパ凸部を有したストッパ部材が設けられるとともに、前記外箱の両側板の内面には、突出した状態の前記ストッパ凸部を係止する凹部が設けられており、
前記取手は、前記ストッパ凸部と前記凹部との係止状態を解除するロック解除手段を備えていることを特徴とする昇降収納装置。
【請求項２】
請求項１において、
前記ストッパ凸部は、前記ハウジング外へ突出する方向に常時付勢する付勢手段を備えるとともに、前記凹部は、外箱の両側板の内面の上端と下端のそれぞれに設けられていることを特徴とする昇降収納装置。
【請求項３】
請求項１または請求項２において、
前記ストッパ部材は、前記ロック解除手段の操作によって下降する操作中継部材を備え、前記ストッパ凸部は、前記操作中継部材の下降に連動して前記ハウジング内に没する構造とされていることを特徴とする昇降収納装置。
【請求項４】
請求項３において、
前記ストッパ部材は、前記操作中継部材と前記ストッパ凸部との連動を解除する解除トリガを備え、
前記凹部近傍には、前記解除トリガに当接する突出ピンが設けられていることを特徴とする昇降収納装置。
【発明の詳細な説明】
【技術分野】
【０００１】
本発明は、外箱と収納棚とを備えた昇降収納装置に関する。
【背景技術】
【０００２】
従来よりキッチンスペース等の高所に取り付けられる外箱と、この外箱内に収納させた位置と該外箱の下面側の開口から下方に突出させた位置とに昇降自在とされた収納棚とを備えた昇降収納装置が知られている。
例えば下記特許文献１に記載の昇降収納装置は、所定位置で収納棚を停止させるためのロック機構を備え、このロック機構によるロック状態を解除すると、収納棚を上下に昇降自在とすることができるように構成されている。
【先行技術文献】
【特許文献】
【０００３】
【特許文献１】特開２００４−３０５４９１号公報
【発明の概要】
【発明が解決しようとする課題】
【０００４】
しかしながら、上記特許文献１に記載のロック機構は、収納棚を昇降させるための取手とは別に設けられた操作部を操作することにより、ロック状態を解除する構成となっている。
したがって、ロック状態を解除するときには、取手と操作部とを握り、操作部を取手側に接近させる操作を要するため、両手で操作する必要があり、ロック解除操作が煩わしいという問題があった。
【０００５】
本発明は、上記実情に鑑みてなされたものであり、収納棚の所定位置での停止操作及び昇降操作をスムーズに行うことができる昇降収納装置を提供することを目的としている。
【課題を解決するための手段】
【０００６】
上記目的を達成するために、本発明に係る昇降収納装置は、少なくとも天板及び両側板を有するとともに底面側に開口部を有した外箱と、少なくとも底板、両側板及び背板を有するとともに底板から下方に突出する取手を有し、前記外箱内に収納された位置と該外箱の開口部から突出した位置との間を昇降自在とされた収納棚とを備えた昇降収納装置であって、前記収納棚の両側板の外面には、ハウジングの内外を出没自在に構成されたストッパ凸部を有したストッパ部材が設けられるとともに、前記外箱の両側板の内面には、突出した状態の前記ストッパ凸部を係止し前記収納棚の昇降を停止する凹部が設けられており、前記取手は、前記ストッパ凸部と前記凹部との係止状態を解除するロック解除手段を備えていることを特徴とする。
【０００７】
また本発明において、前記ストッパ凸部は、前記ハウジング外へ突出する方向に常時付勢する付勢手段を備えるとともに、前記凹部は、外箱の両側板の内面の上端と下端のそれぞれに設けられているものとしてもよい。
さらに本発明において、前記ストッパ部材は、前記ロック解除手段の操作によって下降する操作中継部材を備え、前記ストッパ凸部は、前記操作中継部材の下降に連動して前記ハウジング内に没する構造とされているものとしてもよい。
そして本発明において、前記ストッパ部材は、前記操作中継部材と前記ストッパ凸部との連動を解除する解除トリガを備え、前記凹部近傍には、前記解除トリガに当接する突出ピンが設けられているものとしてもよい。
【発明の効果】
【０００８】
本発明に係る昇降収納装置によれば、収納棚の所定位置での停止操作及び昇降操作をスムーズに行うことができる。
【図面の簡単な説明】
【０００９】
【図１】本発明の一実施形態に係る昇降収納装置の一例を模式的に示す概略的斜視図である。
【図２】（ａ）は同昇降収納装置の収納棚を模式的に示す概略的斜視図であり、（ｂ）は同昇降収納装置を模式的に示す概略斜視図である。
【図３】同昇降収納装置の収納棚に設けられるストッパ部材を模式的に示す概略的斜視図である。
【図４】図３に示すストッパ部材の概略的分解斜視図である。
【図５】（ａ）、（ｂ）は、いずれも同昇降収納装置の昇降動作状態を説明するための概略断面図である。
【図６】（ａ）、（ｂ）は、いずれも同昇降収納装置の昇降動作状態を説明するための概略断面図である。
【図７】同昇降収納装置に設けられたロック解除手段について説明するために一部を露出させた状態を示す模式的斜視図である。
【図８】同昇降収納装置に設けられたロック解除手段について説明するために各構成部材を示した模式的分解斜視図である。
【発明を実施するための形態】
【００１０】
以下に本発明の実施の形態について、図面に基づいて説明する。
本実施形態に係る昇降収納装置１は、例えばキッチンスペース等の天井際等の高所に取り付けられる外箱２と、食器や調理器具等の収納物が収納され底板３３から下方に突出する取手４を有した収納棚３とを備えている。
収納棚３の両側板３１，３１の外面３１ｂには、ハウジング５０の内外を出没自在に構成されたストッパ凸部５１を有したストッパ部材５が設けられている。外箱２の両側板２１，２１の内面２１ａには、突出した状態のストッパ凸部５１を係止し収納棚３の昇降を停止する凹部６が設けられている。取手４は、ストッパ凸部５１と凹部６とが係止され収納棚３の昇降を停止する状態（以下、ロック状態という）を解除するロック解除手段７を備えている。
以下、詳しく説明する。
なお、図では外箱２に設けられる前板の図示を省略している。
【００１１】
外箱２は、図１に示すように、天板２０と左右の側板２１，２１と背板２２と前板（不図示）とによって箱形状とされ、下面側に下向きに開口した開口部２３（図１・Ｘ部拡大図参照）を有している。ここでは、外箱２に設けられる前板の図示を省略しているが、前板はなくてもよい。また前板は、左右の側板２１，２１の手前下端部間に架け渡されるように設けられた幕板としてもよいし、前面側にも前方に向けて開口した開口部を有し、この開口部を開閉自在に覆う開閉扉としてもよい。さらに開閉自在とされた開閉扉に代えて、引き違いの引戸等を開閉扉として設けるようにしてもよいし、前板の前面側を化粧面とされた化粧前板によって覆うようにしてもよい。
【００１２】
収納棚３は、図１、図２に示すように、天板３０と左右の側板３１，３１と背板３２と底板３３とによって前面側に開口する開口部３４を有した箱形状とされている。この収納棚３は、外箱２内に収納された位置（収納位置・図２（ｂ）参照）と外箱２の開口部２３から突出した位置（下降位置・図１参照）との間を昇降自在とされている。また、この収納棚３には、収納棚３を昇降させる際に操作される取手４が底板３３から下方に突出するように設けられている。取手４は、両側板３１，３１のそれぞれ回動自在に支持される一対の連結部材４１，４１と、この一対の連結部材間４１，４１に横向きに接続された取手本体４０とを有している。そしてさらに取手本体４０の中央には、ストッパ凸部５１と凹部６との係止状態、すなわちロック状態を解除するロック解除手段７を構成するレバー７０と、レバーカバー７１とが設けられている。
なお、収納棚３としては、図例のように線状部材からなるラック状のものを内部に設けてもよいし、棚板や網状のラックを設けたものとしてもよい。ロック解除手段７については、後に詳しく説明する。図１、図２（ａ）における４１ａ、４１ｂは、連結部材４１を構成する機構を覆うカバー部材である。
【００１３】
収納棚３の高さ寸法は、図１に示すように、外箱２内に収容された状態において、外箱２の内側空間の高さ方向の略全体に亘って納まるよう該内側空間の高さ寸法よりも僅かに小さい寸法とされている。また、この収納棚３の奥行寸法（前後方向の寸法）は、外箱２の背板２２及び前板（不図示）によって区画された前後方向の寸法よりも僅かに小さい寸法とされている。また、この収納棚３の幅寸法（左右方向の寸法）は、外箱２の左右の側板２１，２１の内側のそれぞれに設置された吊下昇降機構ユニット１０，１０（図１参照）間に納まるような寸法とされている。
【００１４】
吊下昇降機構ユニット１０，１０は、収納棚３を外箱２に対して上下方向に昇降自在に案内するとともに吊り下げる吊下昇降機構部として機能する。これら吊下昇降機構ユニット１０，１０は、収納棚３が収納された状態における収納棚３の左右の側板３１，３１の外面３１ｂと外箱２の左右の側板２１，２１の内面２１ａとの間の空間にそれぞれ配設されている。これら吊下昇降機構ユニット１０，１０は、左右一対とされ、略同様の構成とされている。
これら吊下昇降機構ユニット１０，１０は、収納棚３の昇降を案内する昇降案内部１１と、収納棚２０を吊り下げる吊下機構部（不図示）とをそれぞれに備えている。
図中、１１ａはガイドレールであり、複数のスライド部材と組み合わせて構成され、上記したように収納棚３が上述の収納位置と下降位置との間を昇降し得るように構成されている。
吊下機構部の構成は特に限定されるものではない。例えば、外箱２の左右の側板２１，２１の内面２１ａのそれぞれに配設され、収納棚３を外箱２に対して吊り下げる紐状部材としての吊下ベルト（帯状部材）を巻装した巻取ドラムをそれぞれに備えたものとしてもよい。
なお、図２（ａ）では、収納棚３の昇降を案内する昇降案内部１１の図示を省略している。
【００１５】
次に収納棚３の昇降操作及び所定位置での停止操作に関する機構について説明する。
ストッパ部材５は、略箱状に形成されたハウジング５０の内外を出没自在に構成されたストッパ部５１と、ハウジング５０外へ突出する方向に常時付勢する付勢手段５６（図５、図６参照）とを備えている。
またストッパ部材５は、ロック解除手段７の操作によって下降する操作中継部材５３と、操作中継部材５３とストッパ凸部５１との連動を解除する解除トリガ５５とを備えている。
ストッパ部材５は、収納棚３の両側板３１，３１の外面３１ｂにおける上方端部のそれぞれに取り付けられている。ストッパ部材５は、操作中継部材５３と、後記するストッパ連結部材４６とを連結させるため、図１及び図２（ａ）に示すように取手４の連結部材４１の取り付け位置の延長線上に設けられている。
【００１６】
ストッパ部材５を構成する各部材を収容するハウジング５０は、略箱状のケースからなり、収納棚３の両側板３１，３１と向かいあう面（開口部５０ｅ）と底面とが開口状態とされるハウジング本体５０ａと、開口部５０ｅを塞ぐカバー部５０ｂとを備えている。
ハウジング本体５０ａ内は、上方と下方とで分かれて構成されており、上方にはストッパ凸部５１が設けられ、下方にはリリース部５４等が収容される。カバー部５０ｂは開口部５０ｅのうち、下方側の開口を塞ぐように形成されている。カバー部５０ｂの前面中央位置の両端近傍部位には、開口部５０ｃが設けられており、ここには、図３に示すように後記する解除トリガ５５の先端５５ａが突出した状態で設けられる。
【００１７】
ハウジング本体５０ａのカバー部５０ｂが設けられる側を前面とみたとき、その左右両側面上方には、スライド部５２のスライド溝５２ａが露出してみえる開口窓５０ａａが略方形に形成されている。またその内方には、後記するスライダピン５１ｃの動きを規制し誘導する誘導溝５０ｄが形成されている。この誘導溝５０ｄが、図４〜図６に示すように横方向に略平行に形成されているため、誘導溝５０ｄに係止されたスライダピン５１ｃは誘導溝５０ｄに沿って平行移動し、ストッパ凸部５１をハウジング５０の内外に出没自在とすることができる。またスライダピン５１ｃは、斜め下さがりに形成されたスライダ部５２のスライダ溝５２ａにも係止されているため、ストッパ凸部５１の前後の平行移動に伴い、スライダ部５２を上下動させることができる（図５〜図６参照）。
【００１８】
ストッパ凸部５１は、ハウジング５０内に収容され横方向にスライド移動する本体部５１ｄと、突出時にはハウジング５０から外箱２の両側板２１，２１の内面２１ａ方向に突き出た状態となる突出部５１ｅとを備えている。
突出部５１ｅは、ハウジング本体５０ａの開口部５０ｅにおいて、カバー部５０ｂで閉塞された上方側から出没自在に設けられる。
突出部５１ｅの突出方向先端には、回転自在に構成されたローラ部５１ａが複数設けられており、図例のものは、ローラ部５１ａを２つ設けた例を示している。
ローラ部５１ａは、中央に貫通孔が形成された円筒体からなり、その貫通孔には、両端が軸支された棒状の軸体が挿通され、回転自在とされている。
これによれば、収納箱３を上下に昇降させる際には、このローラ部５１ａが外箱２の両側板２１，２１の内面２１ａに接触した状態で回転しスムーズに昇降されることができる。
またストッパ凸部５１の上面には、図４に示すように複数の案内ローラ部５１ｂが設けられているものとしてもよい。なお、案内ローラ部５１ｂは、ローラ部５１ａと同様に軸体によって軸支され回転自在に構成されている。
これによれば、ストッパ凸部５１のハウジング５０内外の出没をスムーズに行うことができる。
【００１９】
本体部５１ｄの左右の側面には、後記するスライダ溝５２ａに係止されるスライダピン５１ｃが左右横方向に突出して形成されている。また本体部５１ｄの後方には、ハウジング５０内に収容されるように付勢手段５６が設けられており、付勢手段５６としては例えば圧縮バネなどが用いられる。この付勢手段５６は、ロック解除手段７の操作によって下降する操作中継部材５３に連動して圧縮されるように構成されており、付勢手段５６の付勢力は、圧縮バネを圧縮させるための操作中継部材５３の必要操作力を考慮して設定されることが望ましい。また付勢手段５６は、操作中継部材５３とストッパ凸部５１の連動が解除されると、付勢手段５６の付勢力によって、ストッパ凸部５１が「ロック待機状態」となるように構成される。
すなわち、これにより、ロック解除手段７の操作によってストッパ凸部５１を没した状態とすることができ、ロック状態を解除することができる。
なお、「ロック待機状態」については、後に詳しく説明する。
【００２０】
本体部５１ｄの左右の両側部には、両側部のそれぞれを囲むようにスライダ部５２が設けられている。
スライダ部５２の本体部５１ｄと対向するそれぞれの側面には、突出部５１ｅの突出方向とは反対側の上方の角部近傍から斜め下方向に向かって形成されたスライダ溝５２ａが形成されている。またスライダ部５２の本体部５１ｄと対向するそれぞれの側面には、後記するリリース軸５４ａが挿通される挿通孔５２ｂが形成されている。
【００２１】
ストッパ凸部５１の下方には、スライダ部５２内に収容されるリリース部５４と、ロック解除手段７と連動する操作中継部材５３の上端部と、リリース部５４を回動させるよう押圧する解除トリガ５５とが配設されている。
操作中継部材５３は、図４等に示すように平板の棒状に形成され、上方側はリリース部５４の下方に形成された係止部５４ｂが係止される係止開口部５３ａが形成され、下方側はストッパ連結部材４６と連結するための連結孔５３ｂが形成されている。
リリース部５４は、棒状のリリース軸５４ａに軸支され、回動自在に構成されるとともに、リリース部５４に押圧力が加わっても元の位置に戻す方向に付勢する付勢手段（不図示）を備えている。リリース部５４は、収納棚３のロック状態においては、操作中継部材５３の係止開口部５３ａに係止され、操作中継部材５３とスライダ部５２とが連動するように構成されている。またリリース部５４は、解除トリガ５５によってリリース部５４が押圧されると、リリース部５４が回転して操作中継部材５３との締結が解除されるように構成されている。
リリース部５４の付勢手段としては、巻きばね等が用いられる。これにより、ロック解除手段７の操作により下降した操作中継部材５３が再び元の位置に戻ると、リリース部５４に所定の元の一に戻る付勢力が働く。したがって、操作中継部材５３とスライダ部５２と連動が確保される。
すなわち、以上により、リリース部５４が操作中継部材５３の係止開口部５３ａに係止されているときは、操作中継部材５３の動きに伴ってスライダ部５２も上下動する。一方、リリース部５４が操作中継部材５３の係止開口部５３ａに係止されていないときは、スライダ部５２は操作中継部材５３と連動せずフリーの状態となる。
【００２２】
解除トリガ５５は、カバー部５０ｂの開口部５０ｃから突出して設けられるとともに後記する突出ピン８によって押圧される先端５５ａと、ハウジング５０内に設けられ突出ピン８によって押圧されるとリリース部５４を押し込む後端５５ｂとを備えている。
解除トリガ５５の形状、構成は、図例のものに限定されるものではないが、開口部５０ｃから抜け出ることなく、突出ピン８及びリリース部５４の押圧によって略平行に動くよう構成されているものであればよい。
【００２３】
外箱２の左右の両側板２１，２１の内面２１ａには、収納棚３の昇降に伴い上下動するストッパ部５のストッパ凸部５１が略垂直に移動するようにガイドするストッパガイドレール９が設けられている。
またこの内面２１ａには、突出した状態のストッパ凸部５１を係止し収納棚３の昇降を停止する凹部６が設けられており、凹部６は、外箱２の両側板の内面２１ａの上端と下端のそれぞれに取り付けられている（図１、図５〜図６参照）。この凹部６が設けられる位置が、収納棚３の上端の停止位置になる。
したがって、図例のものは、図１に示した状態が、収納棚３が外箱２の開口部２３から最も突出した状態の停止位置（下限位置）といえる一方、図２（ｂ）に示した状態が、収納棚３が、外箱２内に収納された状態の停止位置（上限位置）といえる。
これにより、収納棚３を上方位置、下方位置でロック状態とすることができる。
凹部６の近傍には、収納棚３の両側面３１，３１に突出した突出ピン８が設けられている。突出ピン８は、側面視して略三角形状に形成されており、その頂点８ａが収納棚３の移動により移動してきた解除トリガ５５の先端５５ａに当接して押圧するようにストッパガイドレール９に沿うように隣接して設けられる。
【００２４】
次に収納棚３のロック状態を解除に関するロック解除機構について説明する。
なお、図７、図８は、各機構を説明するため、連結部材４１のカバー部４１ａ，４１ｂの図示、図７ではレバーカバー７１の図示を省略している。
ロック解除手段７は、取手４の取手本体４０に一体に形成されている。取手本体４０は中空円筒のパイプからなり、その両端に内装されるパイプ保持部７５で保持されるとともに、その中央部位は切りかかれ（図８参照）、その切り欠き部位にレバー７０が設けられている。レバー７０は、下方に設けた圧縮バネ（不図示）により常時上方に付勢力が働いており、レバーカバー７１と干渉して保持されている。
取手本体４０内には、棒状の連結パイプ７４が設けられ、連結パイプのレバー７０側端部はレバートリガ７２、他端部は回転リンク４３が締結されている。連結パイプ７４は、連結パイプ７４を回動可能な状態に保持する軸受部７３と、レバー７０が使用者の手によって握られて下方向にスライドすると干渉して連結パイプ７４を中心として回転するレバートリガ７２とを備えている。
【００２５】
連結部材４１は、収納棚３の両側板３１，３１の下端部に取り付けられた略方形状で薄板体の台座ベース４４に取り付けられている。台座ベース４４の下側角部には、バネ性を有した樹脂材料等からなるパイプ台座保持部材４５が設けられる。また台座ベース４４の所定位置（図例では下方側略中央）には、パイプ台座部４２を回動自在に保持するための留め具が挿通される貫通孔４４ａが形成されている。
連結部材４１は、取手本体４０や連結パイプ７４等を保持するパイプ台座部４２と、回転リンク４３と、ストッパ連結部材４６と、リンク連結バー４７とを備えている。
パイプ台座部４２は、薄状のプレート体からなり、その下端部は連結パイプ７４が保持され、その他端部は、台座ベース４４に回動自在な状態に保持されている。パイプ台座部４２の上端部には、パイプ台座部４２の回動中心となり台座ベース４４に保持される留め具が挿通される貫通孔４２ａが形成されている。またパイプ台座部４２の上端縁は凹状部４２ｃが形成されている。
【００２６】
なお、取手４の構成は、図例のものに限定されるものではないが、ここに示すように取手本体４０が上述の機構により、底板３３から略垂直に突出した操作位置と底板３３に近接させた収納位置とで回動自在とすることができるものとしてもよい。
図例のものは、パイプ台座部４２に形成された係止部４２ｄ，４２Ｅがパイプ台座保持部材４５に形成された被係止部４５ａに係止されることで操作位置及び収納位置で取手本体４０が保持される。このとき、係止部４２ｄ，４２ｅは、被係止部４５ａに押し当てられた状態で係止されるため、取手本体４０の操作位置及び収納位置の状態を保持できる。
【００２７】
回転リンク４３は、連結パイプ７４と締結されており、レバー７０が下方向にスライドすると、レバートリガ７２が回転し、連結パイプ７４を介して回転リンク４３が回転するよう構成されている。すなわち回転リンク４３のパイプ台座部４２との連結部位は、レバー７０の動きを伝えるための回転中心を構成している。
ストッパ連結部材４６は、平板の棒状に形成され、上端部は上述の操作中継部材５３と連結され、下端部はパイプ台座部４２の凹状部４２ｃに嵌合するように形成されている。ストッパ連結部材４６の下端部には、リンク連結バー４７の鉤状上端部４７ａが引掛けられる突起部４６ｂが設けられている。
【００２８】
リンク連結バー４７は、平板体からなり、その上端部側は略直角に曲がった鉤状上端部４７ａとされ、下端部４７ｂは回転リンク４３と回転・スライド自在に締結されている。したがって、レバー７０の操作によって回転リンク４３が回転するとリンク連結バー４７は下方にスライドするとともに、鉤状上端部４７ａに引っ掛けられたストッパ連結部材４６も下方にスライドする。そしてストッパ連結部材４６と連結している操作中継部材５３も下方にスライドすることとなり、ロック解除操作がなされることとなる。
【００２９】
次に、図５、図６を参照しながら、上述のように構成された昇降収納装置１の収納棚３の昇降操作及び所定位置での停止操作、ロック解除操作について説明する。
なお、以下では、収納棚３を下降位置（図１参照）から収納位置（図２（ｂ）参照）へ上昇させる場合について説明する。
まず図５（ａ）は、ストッパ凸部５１と凹部６とが係止され収納棚３の昇降を停止する状態、すなわち「ロック状態」を示しており、収納棚３は外箱２の開口部２３から突出した下降位置（図１の状態）となっている。
このとき、ストップ凸部５１はハウジング５０が突出した状態になっており、スライダピン５１ｃはスライダ溝５２ａの下方位置５２ａａに位置している。またスライドピン５１ｃは、誘導溝５０ｄにおいては外箱２の側板２１側に位置している。さらにこのとき、リリース部５４は、操作中継部材５３に係止されスライダ部５２と操作中継部材５３とは連動状態にある。
したがって、この下降位置に収納棚３があるときには、収納棚３に食器や調理器具等の収納物を収納することができる。
【００３０】
図５（ｂ）は、ストッパ凸部５１と凹部６との係止が解除された「ロック解除状態」を示している。
図５（ａ）の状態で取手本体４０に設けられたレバー７０を使用者が手で握ると、レバー７０が下方に押圧される。すると、レバートリガ７２と干渉して連結パイプ７４が回転する。連結パイプ７４が回転すると回転リンク４３が回転し、回転リンク４３が回転するとリンク連結バー４７が下方にスライドする。これに連動してストッパ連結部材４６が下方にスライドし、さらにこれに連結された操作中継部材５３が下方にスライドする（図５（ｂ）のｄ２矢印方向参照）。そしてこれに連動してスライダ部５２が下方に引っ張られストッパ凸部５１がハウジング５０内に引き込まれ（図５（ｂ）のｄ１矢印方向参照）、凹部６の係止が解除される。
このとき、スライドピン５１ｃはスライダ溝５２ａの上方位置５２ａｂに移動している。またスライドピン５１ｃは、誘導溝５０ｄにおいては収納棚３の側板３１側に移動している。さらにこのとき、リリース部５４は、まだ操作中継部材５３に係止されスライダ部５２と操作中継部材５３とは連動状態にある。
【００３１】
図６（ａ）は、リリース部５４と操作中継部材５３との連動状態を解除する「ロックリリース開始状態」を示している。
ロック状態が解除された後、使用者が取手４を持って上方向へ力をかけるとスムーズに収納棚３を上昇させることができる。収納棚３を少し上昇させると、突出ピン８に解除トリガ５５の先端５５ａが当たって解除トリガ５５が押し込まれ、これによりリリース部５４が解除トリガ５５によって押され、リリース部５４が回動し、操作中継部材５３とスライダ部５２との係止状態が図６（ａ）に示すように解除される。
このときのスライドピン５１ｃの係止位置は図５（ｂ）と同様である。
【００３２】
図６（ｂ）は、ストッパ凸部５１と凹部６とが係止され収納棚３の昇降を停止する状態になるのを待機している、すなわち「ロック待機状態」を示している。
図６（ａ）に示すように操作中継部材５３とスライダ部５２との係止状態が解除されると、ストッパ凸部５１に付勢手段５６が作用してハウジング５０外へ突出する方向へ付勢する付勢力が働く（（図６（ｂ）のｄ３矢印方向参照）。これにより、ストッパ凸部５１は図６（ｂ）ストッパガイドレール９の表面に摺接した状態で収納棚3の上昇に伴いスライドする。このようにストッパ凸部５１には常時ハウジング５０外へ突出する方向に付勢されているので、凹部６に到達すれば、「ロック状態」にすることができる。また収納棚３を一旦上昇させた後、上方の凹部６に至る前に再び下降位置で収納棚３を停止させたい場合でもなんら支障なく昇降停止操作を行うことができる。
【００３３】
図６（ｂ）に示す「ロック待機状態」から上方の凹部６にストッパ凸部５１が係止されると図５（ａ）に示すような「ロック状態」となり、収納棚３は図２（ｂ）に示す収納位置で停止する。そして、使用者による取手４の操作が解除されレバー７０から手が離れると操作中継部材５３は、レバー７０に設けられた圧縮バネの上方に働く付勢力によって、上方にスライドする。そしてリリース部５４の付勢手段が作用してリリース部５４がリリース軸５４ａを回転軸として回動し、係止部５４ｂが係止開口部５３ａに係止され、操作中継部材５３とスライダ部５２とが連結状態となる。したがって、上方に形成された凹部６においても図５（ａ）と同じ状態の「ロック状態」が実現できる。
なお、ここでは収納棚３を下降位置（図１参照）から収納位置（図２（ｂ）参照）へ上昇させた場合について説明した。しかし、収納位置から下降位置に収納棚３を下降させる場合も、ロック解除手段７による解除でロック状態を解除することができることはいうまでもない。
【００３４】
以上の構成によれば、収納棚３の積載重量や積載重量の変動にかかわらず、収納位置、下降位置で収納棚３を停止させることができる。停止状態の収納棚３を昇降させるときには、取手４に設けられたロック解除手段７を握ればロック状態が解除されるので、片手でロック状態の解除操作が行え、そのまま収納棚３を上方あるいは下方にスライドさせれば昇降操作を行える。したがって、収納棚の昇降操作及び所定位置での停止操作をスムーズに行うことができ、使用性のよい昇降収納装置１を実現できる。またストッパ部材５は収納棚３の両側板３１，３１の外面３１ｂに設けられているため、安全に収納棚３を所定の位置で停止させることができ、安全性もよい昇降収納装置１とすることができる。
【００３５】
以上、本実施形態に係る昇降収納装置１の形状、構成は図例に限定されるものではない。また収納棚３のロック機構、ロック解除手段７の構成も図例に限定されるものではなく、凹部６の形成位置、突出ピン８の設置位置も図例に限定されるものではない。さらに昇降収納装置１は、キッチンのフロアキャビネット等の上方の壁面に設けられ、収納庫として使用されるものとしてもよいし、食器乾燥庫に適用されたものとしてもよい。そしてキッチンに設置される昇降収納装置１に限定されずリビングなどに設置されるものであってもよいことは言うまでもない。
なお、一部の図では、他図に付している詳細な符号の一部を省略している。
【符号の説明】
【００３６】
１      昇降収納装置
２      外箱
２１      側板
２１ａ      内面
３      収納棚
３１      側板
３１ｂ      外面
４      取手
５      ストッパ部材
５０      ハウジング
５１      ストッパ凸部５１
６      凹部
７      ロック解除手段
【図１】
0005595896.tif 000002
【図２】
0005595896.tif 000003
【図３】
0005595896.tif 000004
【図４】
0005595896.tif 000005
【図５】
0005595896.tif 000006
【図６】
0005595896.tif 000007
【図７】
0005595896.tif 000008
【図８】
0005595896.tif 000009